(57)【要約】【課題】落下時の回路基板の破損を防止することができる接地部材並びに該接地部材を備える回路基板、表示装置及びテレビジョン受信機を提供する。【解決手段】テレビジョン受信機１は、回路基板８０の周面を側縁取付用ラグ端子４０及び角取付用ラグ端子５０の周面カバー板部にて覆い、また側縁取付用ラグ端子４０及び角取付用ラグ端子５０のベース板部及び延出部分によって回路基板８０の一面及び他面を覆うので、回路基板８０の縁部分を落下時の衝撃から保護することができる。【選択図】図９
2013251508.tif 000002
【特許請求の範囲】
【請求項１】
基板の一面に配置されるべき接地板と、基板の他面に設けた導電体に電気的に接続する接続部とを備える接地部材において、
前記接地板及び接続部に連なり、基板の周縁部分を覆うカバー部を備えることを特徴とする接地部材。
【請求項２】
前記接地板は三角形状をなし、
前記カバー部は、前記接地板の二辺から前記接地板に交差する方向に突出しており、
前記接続部は前記カバー部の先端部分に設けてあること
を特徴とする請求項１に記載の接地部材。
【請求項３】
前記接地板の中央部に、基板に連結するためのねじを挿入する貫通孔が設けてあり、
前記接続部は、前記カバー部における前記貫通孔から最も離隔した位置に配してあること
を特徴とする請求項２に記載の接地部材。
【請求項４】
前記接地板に、前記導電体に接続する第２接続部を挿入する挿入孔が設けてあることを特徴とする請求項１から３のいずれか一つに記載の接地部材。
【請求項５】
請求項１から４のいずれか一つに記載の接地部材と、該接地部材を実装した基板とを備えることを特徴とする基板装置。
【請求項６】
映像を表示する表示部と、該表示部を駆動する請求項５に記載の基板装置とを備えることを特徴とする表示装置。
【請求項７】
請求項６に記載の表示装置と、
テレビジョン放送を受信する受信部と
を備え、
前記受信部にて受信したテレビジョン放送に基づいて、前記表示装置に映像を表示するようにしてあること
を特徴とするテレビジョン受信機。
【発明の詳細な説明】
【技術分野】
【０００１】
本発明は回路基板のアースパターンに接続する接地部材並びに該接地部材を備える表示装置及びテレビジョン受信機に関する。
【背景技術】
【０００２】
回路基板にはグラウンド電位を確保するためにアースパターンにアース部材（接地部材）が一般に設けられており、アースパターンは、アース部材を介してグラウンド電位である部材に接続される（例えば特許文献１参照）。
【０００３】
特許文献１には、アース部材としてのラグ端子と、該ラグ端子が実装される回路基板とが開示してある。回路基板の縁部分にはねじ孔が形成してあり、ラグ端子にはねじを挿入する挿入孔が設けてある。挿入孔にねじを挿入し、ねじ孔に螺合させてラグ端子を回路基板に固定する。ねじ孔に螺合したねじは更に、グラウンド電位のシャーシに連結する。そしてラグ端子の端部をアースパターンに半田付けし、アースパターンをグラウンド電位にする。
【先行技術文献】
【特許文献】
【０００４】
【特許文献１】特開２００５−３３９９６４号公報
【発明の概要】
【発明が解決しようとする課題】
【０００５】
回路基板は電気製品、例えばテレビジョン受信機に搭載される。テレビジョン受信機の組み立てにおいて、回路基板を取り扱う際に作業者が誤って回路基板を落下させる場合がある。前述したように縁部分にねじ孔を形成してあるため、縁部分の剛性は中央部分に比べて低く、更に縁部分は落下した場合に衝撃を直に受ける箇所であるため、落下時に容易に破損する。
【０００６】
本発明は斯かる事情に鑑みてなされたものであり、落下時の回路基板の破損を防止することができる接地部材並びに該接地部材を備える回路基板、表示装置及びテレビジョン受信機を提供することを目的とする。
【課題を解決するための手段】
【０００７】
本発明に係る接地部材は、基板の一面に配置されるべき接地板と、基板の他面に設けた導電体に電気的に接続する接続部とを備える接地部材において、前記接地板及び接続部に連なり、基板の周縁部分を覆うカバー部を備えることを特徴とする。
【０００８】
本発明においては、基板の周面をカバー部にて覆い、また接地板及び接続部によって基板の一面及び他面を覆うので、基板の縁部分を落下時の衝撃から保護する。
【０００９】
本発明に係る接地部材は、前記接地板は三角形状をなし、前記カバー部は、前記接地板の二辺から前記接地板に交差する方向に突出しており、前記接続部は前記カバー部の先端部分に設けてあることを特徴とする。
【００１０】
本発明においては、接地板を三角形状に形成し、カバー部を接地板の二辺から突出させているので、最も衝撃に弱い基板の四隅を覆って保護することができる。接地板を三角形状に形成することで、四角形状に形成する場合に比べて基板の一面に対する占有面積を半分にすることができ、電子部品の実装スペースをより多く確保することができる。
【００１１】
本発明に係る接地部材は、前記接地板の中央部に、基板に連結するためのねじを挿入する貫通孔が設けてあり、前記接続部は、前記カバー部における前記貫通孔から最も離隔した位置に配してあることを特徴とする。
【００１２】
本発明においては、ねじを挿入する挿入孔から最も離れた位置に接続部が配してあるので、ねじを螺合させた場合に、接続部に作用する力を最小化することができる。接続部を基板に半田付けした後、ねじを螺合させた場合、接続部にモーメント荷重が作用するが、接続部に固着した半田に作用する力は最小化され、半田の破損を防止することができる。
【００１３】
本発明に係る接地部材は、前記接地板に、前記導電体に接続する第２接続部を挿入する挿入孔が設けてあることを特徴とする。
【００１４】
本発明においては、第２接続部を挿入孔に挿入し、導電体、例えばアースパターンにて半田付けすることによって、アースパターンとグラウンドとの接続不良を確実に防止することができる。
【００１５】
本発明に係る基板装置は、前述したいずれかの接地部材と、該接地部材を実装した基板とを備えることを特徴とする。
【００１６】
本発明においては、上述した接地部材と同様な作用効果を奏することができる。
【００１７】
本発明に係る表示装置は、映像を表示する表示部と、該表示部を駆動する前述した基板装置とを備えることを特徴とする。
【００１８】
本発明においては、上述した接地部材と同様な作用効果を奏することができる。
【００１９】
本発明に係るテレビジョン受信機は、前述した表示装置と、テレビジョン放送を受信する受信部とを備え、前記受信部にて受信したテレビジョン放送に基づいて、前記表示装置に映像を表示するようにしてあることを特徴とする。
【００２０】
本発明においては、上述した接地部材と同様な作用効果を奏することができる。
【発明の効果】
【００２１】
本発明に係る接地部材、基板装置、表示装置及びテレビジョン受信機にあっては、基板の周面をカバー部にて覆い、また接地板及び接続部によって基板の一面及び他面を覆うので、基板の縁部分を落下時の衝撃から保護することができる。
【図面の簡単な説明】
【００２２】
【図１】実施の形態１に係るテレビジョン受信機を略示する斜視図である。
【図２】側縁取付用ラグ端子を略示する斜視図である。
【図３】側縁取付用ラグ端子を略示する平面図である。
【図４】図３にて示したＩＶ−ＩＶ線を切断線とした側縁取付用ラグ端子の略示断面図である。
【図５】角取付用ラグ端子を略示する斜視図である。
【図６】角取付用ラグ端子を略示する平面図である。
【図７】側縁取付用ラグ端子の回路基板への取付を説明する説明図である。
【図８】角取付用ラグ端子の回路基板への取付を説明する説明図である。
【図９】側縁取付用ラグ端子及び角取付用ラグ端子のテレビジョン受信機への取付を説明する説明図である。
【図１０】側縁取付用ラグ端子及び角取付用ラグ端子をテレビジョン受信機に取り付けた状態を略示する断面図である。
【図１１】実施の形態１に係るテレビジョン受信機の側縁取付用ラグ端子及び角取付用ラグ端子の回路基板への取付を説明する説明図である。
【図１２】側縁取付用ラグ端子及び角取付用ラグ端子をテレビジョン受信機に取り付けた状態を略示する断面図である。
【発明を実施するための形態】
【００２３】
（実施の形態１）
以下本発明を実施の形態１に係るテレビジョン受信機を示す図面に基づいて詳述する。図１はテレビジョン受信機１を略示する斜視図である。
【００２４】
図において１はテレビジョン受信機であり、該テレビジョン受信機１は、映像を表示する表示装置１００と、アンテナ（不図示）から放送波を受信するチューナ２００（受信部）と、符号化された放送波を復号するデコーダ３００とを備える。テレビジョン受信機１は、チューナ２００にて受信した放送波をデコーダ３００で復号し、復号した情報に基づいて表示装置１００に映像を表示する。テレビジョン受信機１の下部に、テレビジョン受信機１を支持するスタンド４００が設けてある。
【００２５】
表示装置１００は液晶を有する矩形の表示パネル１０を備えており、該表示パネル１０は液晶への印加電圧を制御して光の透過率を調整するように構成されている。表示パネル１０は、前後に配置された前キャビネット２０及び後キャビネット３０に、表示面を前側にして収容されている。前キャビネット２０は矩形の枠状をなし、その中央部に矩形の開口２０ａを有する。前キャビネット２０は、例えばアルミニウム部材からなる。後キャビネット３０は、前側が開放された矩形のトレイ状をなし、例えば電気亜鉛めっき鋼板からなる。なお前キャビネット２０及び後キャビネット３０を樹脂部材によって構成してもよい。前記チューナ２００及びデコーダ３００は前キャビネット２０及び後キャビネット３０に収容されている。なおチューナ２００及びデコーダ３００を表示装置１００の外部に設置し、表示装置１００に接続してもよい。
【００２６】
テレビジョン受信機１は電源回路を含む種々の回路を実装した回路基板８０（後述する図９参照）を備えており、該回路基板８０には、接地のための複数のラグ端子が取り付けてある。図２は側縁取付用ラグ端子を略示する斜視図、図３は側縁取付用ラグ端子を略示する平面図、図４は図３にて示したＩＶ−ＩＶ線を切断線とした側縁取付用ラグ端子の略示断面図である。
【００２７】
回路基板８０の側縁における長手方向中央部には、側縁取付用ラグ端子４０が取り付けられる。側縁取付用ラグ端子４０は回路基板８０の一面上に対向して配置される接地板部４１を備える。該接地板部４１は矩形状をなし、その中央部に貫通孔４１ａを備える。接地板部４１の一方の長手辺に、接地板部４１に直角な周面カバー板部４２が連なる。周面カバー板部４２は接地板部４１と同方向を長手方向とした細長い矩形状をなす。周面カバー板部４２は、回路基板８０の周面に対向して配置され、該周面上を覆う。
【００２８】
周面カバー板部４２の先端部分から、周面カバー板部４２に直角な半田固定板部４３が接地板部４１に対向するように突出している。半田固定板部４３は、接地板部４１と同方向を長手方向とした細長い矩形状をなす。半田固定板部４３は、その長手方向両端部分それぞれから延出した延出部分４３ａを有する。延出部分４３ａは、半田固定板部４３における面方向において、貫通孔４１ａから最も離れた位置に配してある。延出部分４３ａの先端部には切欠４３ｂが形成してある。延出部分４３ａは、回路基板８０の他面上に設けたアースパターン８５（後述する図７参照）に対向配置され、半田による固定が行われる。なお周面カバー板部４２の幅寸法（長手方向に直交する方向の寸法）は回路基板８０の厚さ寸法と略同寸である。
【００２９】
図５は角取付用ラグ端子を略示する斜視図、図６は角取付用ラグ端子を略示する平面図である。回路基板８０の四隅部分には、角取付用ラグ端子５０が取り付けられる。角取付用ラグ端子５０は、回路基板８０の一面上に対向して配置される直角三角形状の接地板部５１を備えており、該接地板部５１の中央部分に貫通孔５１ａが設けてある。接地板部５１の斜辺を除く二辺から、接地板部５１に直角な周面カバー板部５２が突出している。周面カバー板部５２は前記二辺に沿ったＬ状をなす。該周面カバー板部５２の先端部分から、周面カバー板部５２に直角な半田固定板部５３が接地板部５１に対向するように突出している。なお角取付用ラグ端子５０の直角部分の平面視形状は、回路基板８０の角部分に倣う。
【００３０】
半田固定板部５３は周面カバー板部５２に沿ったＬ状をなす。Ｌ形をなす半田固定板部５３は、その両端部分からそれぞれ延出した延出部分５３ａ、５３ａを有する。延出部分５３ａ、５３ａは、半田固定板部５３における面方向において、貫通孔５１ａから最も離れた位置に配してある。延出部分５３ａ、５３ａの先端部には切欠５３ｂ、５３ｂが形成してある。延出部分５３ａは回路基板８０の他面上に設けたアースパターン８５（後述する図８参照）に対向配置され、半田による固定が行われる。なお周面カバー板部５２の幅寸法（接地板部５１に直角な方向の寸法）は回路基板８０の厚さ寸法と略同寸である。
【００３１】
次に側縁取付用ラグ端子４０及び角取付用ラグ端子５０の回路基板８０及びテレビジョン受信機１への取付について説明する。図７は側縁取付用ラグ端子４０の回路基板８０への取付を説明する説明図、図８は角取付用ラグ端子５０の回路基板８０への取付を説明する説明図、図９は側縁取付用ラグ端子４０及び角取付用ラグ端子５０のテレビジョン受信機１への取付を説明する説明図、図１０は側縁取付用ラグ端子４０及び角取付用ラグ端子５０をテレビジョン受信機１に取り付けた状態を略示する断面図である。
【００３２】
図７及び図８に示すように、回路基板８０の他面の縁部に沿ってアースパターン８５が形成してある。図７に示すように、回路基板８０の縁部中央部分には、ねじ６０を挿入する挿入孔８１が開設してある。挿入孔８１はアースパターン８５を形成してある領域内に廃してある。長手方向に沿った挿入孔８１の両側に、半田６１が付着する半田付部８２がそれぞれ設けてある。半田付部８２はアースパターン８５内に含まれる。半田付部８２は前記延出部分４３ａに対応した位置に配してあり、挿入孔８１は前記貫通孔４１ａに対応した位置に配してある。
【００３３】
作業者は、周面カバー板部４２が回路基板８０の縁部周面に対向し、接地板部４１が回路基板８０の一面に対向し、半田固定板部４３が回路基板８０の他面に対向するように側縁取付用ラグ端子４０を回路基板８０に取り付ける。このとき作業者は貫通孔４１ａと挿入孔８１との位置、延出部分４３ａと半田付部８２との位置を整合させる。そして作業者は延出部分４３ａ及び半田付部８２を半田６１によって連結する。なお延出部分４３ａには切欠４３ｂが設けてあるので、該切欠４３ｂに溶融した半田６１が留まりやすく、半田付けは確実に行われる。
【００３４】
また図８に示すように、回路基板８０の四隅の角部分にはねじ６０を挿入する挿入孔８１が開設してある。挿入孔８１はアースパターン８５を形成してある領域内に廃してある。角部分に沿った挿入孔８１の両側に、半田６１が付着する半田付部８２がそれぞれ設けてある。半田付部８２はアースパターン８５内に含まれる。半田付部８２は前記延出部分５３ａに対応した位置に配してあり、挿入孔８１は前記貫通孔５１ａに対応した位置に配してある。
【００３５】
作業者は、周面カバー板部５２が回路基板８０の角部分の周面に対向し、接地板部５１が回路基板８０の一面に対向し、半田固定板部５３が回路基板８０の他面に対向し、且つ接地板部５１の直角部分が回路基板８０の角部分に倣うように角取付用ラグ端子５０を回路基板８０に取り付ける。このとき作業者は貫通孔５１ａと挿入孔８１との位置、延出部分５３ａと半田付部８２との位置を整合させる。そして作業者は延出部分５３ａ及び半田付部８２を半田６１によって連結する。なお延出部分５３ａには切欠５３ｂが設けてあるので、該切欠５３ｂに溶融した半田６１が留まりやすく、半田付けは確実に行われる。
【００３６】
図９及び図１０に示すように、テレビジョン受信機１は光源を支持する矩形皿状のバックライトシャーシ９０を備える。該バックライトシャーシ９０は金属製であり、接地してある。バックライトシャーシ９０の正面側に光源（不図示）が支持されており、バックライトシャーシ９０の背面には、回路基板８０を固定するための有底円筒形のボス９１、９１、・・・９１が複数設けてある。該ボス９１はバックライトシャーシ９０の背面から直角に突出しており、その突出端に開口が設けてある。ボス９１の内周面には雌ねじ９１ａが形成してある。複数のボス９１は、回路基板８０の挿入孔８１に対応した位置に配してある。なおボス９１は金属製であり、導電性を有する。
【００３７】
作業者は、側縁取付用ラグ端子４０及び角取付用ラグ端子５０を半田付けした回路基板８０の他面をバックライトシャーシ９０の背面に対向させる。このとき、回路基板８０の挿入孔８１とボス９１との位置を整合させる。そしてねじ６０を貫通孔４１ａ、５１ａ及び挿入孔８１に挿入し、ボス９１にねじ止めして、回路基板８０をバックライトシャーシ９０に固定する。アースパターン８５は、側縁取付用ラグ端子４０、角取付用ラグ端子５０、ねじ６０及びボス９１を介してバックライトシャーシ９０に接続され、接地される。
【００３８】
実施の形態１に係るテレビジョン受信機１にあっては、回路基板８０の周面を周面カバー板部４２、５２にて覆い、また接地板部４１、５１及び延出部分４３ａ、５３ａによって回路基板８０の一面及び他面を覆うので、回路基板８０の縁部分を落下時の衝撃から保護することができる。
【００３９】
また角取付用ラグ端子５０の接地板部５１を三角形状に形成し、周面カバー板部５２を接地板部５１の二辺から突出させているので、最も衝撃に弱い回路基板８０の四隅を覆って保護することができる。また接地板部５１を三角形状に形成することで、四角形状に形成する場合に比べて回路基板８０の一面に対する占有面積を半分にすることができ、電子部品の実装スペースをより多く確保することができる。
【００４０】
また側縁取付用ラグ端子４０及び角取付用ラグ端子５０は、ねじ６０を挿入する貫通孔４１ａ、５１ａから最も離れた位置に延出部分４３ａ、５３ａが配してあるので、ねじ６０を螺合させた場合に、延出部分４３ａ、５３ａに作用する力を最小化することができる。延出部分４３ａ、５３ａを回路基板８０に半田付けした後、ねじ６０を螺合させた場合、延出部分４３ａ、５３ａにモーメント荷重が作用するが、延出部分４３ａ、５３ａに固着した半田６１に作用する力は最小化され、半田６１の破損を防止することができる。
【００４１】
なお後キャビネット３０はバックライトシャーシ９０の背面全体を覆っているが、後キャビネット３０の構成はこれに限定されるものではなく、例えばバックライトシャーシ９０の背面に設けた回路基板８０のみを覆う構成であってもよい。
【００４２】
（実施の形態２）
以下本発明を実施の形態２を示す図面に基づいて詳述する。図１１は側縁取付用ラグ端子４０及び角取付用ラグ端子５０の回路基板８０への取付を説明する説明図、図１２は側縁取付用ラグ端子４０及び角取付用ラグ端子５０をテレビジョン受信機１に取り付けた状態を略示する断面図である。
【００４３】
側縁取付用ラグ端子４０の接地板部４１において、貫通孔４１ａを挟んで周面カバー板部４２の反対側に二つの挿入孔４１ｂ、４１ｂが設けてある。挿入孔４１ｂ、４１ｂは接地板部４１の長手縁部分に沿って並設してある。長手方向において、貫通孔４１ａは挿入孔４１ｂ、４１ｂの間に位置する。また角取付用ラグ端子５０の接地板部５１において、貫通孔５１ａを挟んで接地板部５１の角部分の反対側に二つの挿入孔５１ｂ、５１ｂが設けてある。挿入孔５１ｂ、５１ｂは接地板部５１の斜辺に沿って並設してある。斜辺に平行な方向において、貫通孔５１ａは挿入孔５１ｂ、５１ｂの間に位置する。また回路基板８０は、挿入孔４１ｂ、５１ｂに対応した位置に配してあり、線材６２を挿入する線材挿入孔８４を備える。線材挿入孔８４はアースパターン８５の範囲内に位置する。
【００４４】
作業者は、挿入孔４１ｂ、５１ｂと線材挿入孔８４との位置を整合させて、側縁取付用ラグ端子４０及び角取付用ラグ端子５０を回路基板８０に取り付ける。作業者は、コの字形の線材６２を挿入孔４１ｂ、５１ｂ及び線材挿入孔８４に挿入し、線材６２の先端部を回路基板８０の他面側に突出させる。作業者は、突出した線材６２をアースパターン８５に半田付けする。
【００４５】
実施の形態２に係るテレビジョン受信機１にあっては、線材６２を挿入孔４１ｂに挿入し、アースパターン８５にて半田付けしてあるので、アースパターン８５と側縁取付用ラグ端子４０及び角取付用ラグ端子５０との接続箇所が増え、接地不良を確実に防止することができる。またアースパターン８５と延出部分４３ａ、５３ａとを接続する半田６１が破損した場合でも、アースパターン８５と線材６２とを接続する半田６１が破損していなければ、接地は維持される。また半田６１による接続箇所が増加することで、側縁取付用ラグ端子４０及び角取付用ラグ端子５０をねじ止めする場合に生じるモーメント荷重を多数の接続箇所に分散させることができ、半田６１が損傷し難い。
【００４６】
実施の形態２に係るテレビジョン受信機１の構成の内、実施の形態１と同様な構成については同じ符号を付し、その詳細な説明を省略する。
【００４７】
今回開示した実施の形態は、全ての点で例示であって、制限的なものではないと考えられるべきである。本発明の範囲は、特許請求の範囲内での全ての変更及び特許請求の範囲と均等の範囲が含まれることが意図される。
【符号の説明】
【００４８】
１  テレビジョン受信機
１０  表示パネル（表示部）
４０  側縁取付用ラグ端子（接地部材）
５０  角取付用ラグ端子（接地部材）
４１、５１  接地板部（接地板）
４１ａ、５１ａ  貫通孔
４１ｂ、５１ｂ  挿入孔
４２、５２  周面カバー板部（カバー部）
４３、５３  半田固定板部
４３ａ、５３ａ  延出部分（接続部）
６０  ねじ
６１  半田
６２  線材（第２接続部）
８０  回路基板（基板）
８１  挿入孔
８５  アースパターン（導電体）
１００  表示装置
２００  チューナ（受信部）
【図１】
2013251508.tif 000003
【図２】
2013251508.tif 000004
【図３】
2013251508.tif 000005
【図４】
2013251508.tif 000006
【図５】
2013251508.tif 000007
【図６】
2013251508.tif 000008
【図７】
2013251508.tif 000009
【図８】
2013251508.tif 000010
【図９】
2013251508.tif 000011
【図１０】
2013251508.tif 000012
【図１１】
2013251508.tif 000013
【図１２】
2013251508.tif 000014